(57)【要約】【課題】データを転送、または、受信する場合、編集中のデータファイルを転送、または、受信する等して不都合が生じないように制御することが可能なデータ受信装置、または、データ送信装置を提供する。【解決手段】データ送信装置であるＩＣレコーダ２０では、記録媒体８に記録された音声データに対してカット，追加，上書き等の編集作業を行った後、NEW SW７ｇを操作すると、上記音声データが編集終了し、新ファイル作成可能であって、上記音声データが転送可能であることを示す転送許可フラグがセットされる。転送許可フラグセット状態ではＩＣレコーダ２０をデータ受信装置であるＰＣ（パーソナルコンピュータ）に上記音声データは自動的にＰＣに転送される。しかし、編集中状態で転送許可フラグがセットされていない状態のときＰＣに接続しても上記音声データの転送はなされない。【選択図】図１
2005300995.tif 000002
【特許請求の範囲】
【請求項１】
記憶媒体に記憶されたデータをデータ受信装置に送信するデータ送信装置において、
記憶媒体に記憶されたデータに対して編集を行う編集手段と、
上記記憶媒体に記憶されているデータの編集状態を判定する判定手段と、
上記判定手段の判定に基づき、上記記憶媒体に記憶されているデータを上記データ受信装置に送信する送信手段と、
を具備することを特徴とするデータ送信装置。
【請求項２】
上記送信手段は、上記記憶媒体に記憶されているデータをデータ受信装置に送信する際、上記判定手段において上記記憶媒体に記憶されているデータの編集が終了していると判定された場合には上記記憶媒体に記憶されているデータを上記データ受信装置に送信し、上記判定手段において上記記憶媒体に記憶されているデータの編集が終了していないと判定された場合には、上記記憶媒体内に記憶されているデータを上記データ受信装置に送信することを禁止することを特徴とする請求項１に記載のデータ送信装置。
【請求項３】
データ送信装置の記憶媒体に記憶されたデータを受信するデータ受信装置において、
上記データ送信装置と通信を行い、上記データの編集状態を判定する判定手段と、
上記判定手段の判定に基づいて上記データ送信装置に対して上記データの送信要求を行うデータ送信要求手段と、
上記送信要求に基づいて送信された上記データを受信する受信手段と、
を具備することを特徴とするデータ受信装置。
【請求項４】
上記データ送信要求手段は、上記判定手段により上記データの編集が終了していると判定された場合には上記データの送信要求を行い、上記判定手段により上記データの編集が終了していないと判定された場合には上記データの送信要求を行わないことを特徴とする請求項３に記載のデータ受信装置。
【請求項５】
コンピュータに接続されたデータ送信装置の記憶媒体に記憶されたデータを上記コンピュータに受信させるデータ受信ソフトウェアにおいて、
上記データ受信ソフトウェアは上記コンピュータに、
上記データ送信装置の上記記憶媒体に記憶された上記データの編集状態を判定させ、
上記判定に基づいて上記データ送信装置に対して上記データの送信要求を行わせ、
上記送信要求に基づいて送信された上記データを受信させることを特徴とするデータ受信ソフトウェア。
【請求項６】
記憶媒体に記憶されたデータをデータ受信装置に送信するデータ送信装置において、
上記記憶媒体へのデータの記録を行う記録手段と、
上記記録を行う際、第１の記録方法でデータ記録を行う第１の待機モードと、第２の記録方法でデータ記録を行う第２の待機モードを選択的に設定する待機モード設定手段と、
上記待機モード設定手段で設定されている待機モードに基づいて、上記記憶媒体内に記憶されているデータを上記データ受信装置に送信する送信手段と、
を具備することを特徴とするデータ送信装置。
【請求項７】
上記第１の記録方法とは新規記録であり、上記第２の記録方法は追加記録、挿入記録または上書記録であり、上記送信手段は、上記第１の待機モードが設定されている場合には上記記憶媒体に記憶されているデータを上記データ受信装置に送信し、上記第２の待機モードが設定されている場合には、上記記憶媒体に記憶されているデータを上記データ受信装置に送信することを禁止することを特徴とする請求項６に記載のデータ送信装置。
【請求項８】
データ送信装置の記憶媒体に記憶されたデータを受信するデータ受信装置において、
上記データ送信装置の待機モードが、上記データ送信装置がデータ記録を行う際、第１の記録方法でデータを記録する第１の待機モードであるか、第２の記録方法でデータ記録する第２の待機モードであるかを判定する判定手段と、
上記判定手段の判定に基づき上記データ送信装置に対して上記データ装置の記憶媒体に記憶されたデータの送信要求を行うデータ送信要求手段と、
上記送信要求に基づいて送信された上記データを受信する受信手段と、
を具備することを特徴とするデータ受信装置。
【請求項９】
コンピュータに接続されたデータ送信装置の記憶媒体に記憶されたデータを上記コンピュータに受信させるデータ受信ソフトウェアにおいて、
上記データ受信ソフトウェアは上記コンピュータに、
上記データ送信装置の待機モードが、上記データ送信装置がデータ記録を行う際、第１の記録方法でデータを記録する第１の待機モードであるか、第２の記録方法でデータ記録する第２の待機モードであるかを判定させ、
上記判定に基づいて上記データ送信装置に対して上記データの送信要求を行わせ、
上記送信要求に基づいて送信された上記データを受信させることを特徴とするデータ受信ソフトウェア。
【発明の詳細な説明】
【技術分野】
【０００１】
本発明は、データ受信装置、例えば、コンピュータ装置と、該データ受信装置に対してデータを送信するデータ送信装置、例えば、音声記録再生装置とからなるシステムにおけるデータの送受信制御に関する。
【背景技術】
【０００２】
従来、ネットワーク上のサーバ装置に関して特許文献１に開示された技術は、サーバーへのデータ転送に際して、転送後のデータ使用量が使用許可容量を越えないことをデータ転送前に判定することによってユーザに無駄な作業をさせることがなく、作業能率を改善する技術に関するものである。
【特許文献１】特許文献１は、特開２００３−１０８４０８号公報である。
【発明の開示】
【発明が解決しようとする課題】
【０００３】
上述した特許文献１に開示された技術では、転送対象のデータが電子機器内で編集中であるかどうかに関わりなくデータ転送要求があれば、サーバー装置に転送可能なデータ量であれば、直ちに該データをサーバー装置に転送してしまう。しかし、ディクテーションが目的の音声記録再生装置では、コンピュータ装置やサーバー装置へのデータ転送が可能であったとしても転送開始時、ファイルの編集中である可能性もあり、未完成のファイルのデータを転送してしまう可能性があった。
【０００４】
本発明は、上述の問題を解決するためになされたものであり、データ受信装置と該データ受信装置にデータを送信するデータ送信装置とからなるシステムにて上記データを転送、または、受信する場合、編集中のデータファイルを転送、または、受信する等して不都合が生じないように制御することが可能なデータ受信装置、または、データ送信装置を提供することを目的とする。
【課題を解決するための手段】
【０００５】
本発明の請求項１記載のデータ送信装置は、記憶媒体に記憶されたデータをデータ受信装置に送信するデータ送信装置において、記憶媒体に記憶されたデータに対して編集を行う編集手段と、上記記憶媒体に記憶されているデータの編集状態を判定する判定手段と、上記判定手段の判定に基づき、上記記憶媒体に記憶されているデータを上記データ受信装置に送信する送信手段とを具備する。
【０００６】
本発明の請求項２記載のデータ送信装置は、請求項１に記載のデータ送信装置において、上記送信手段は、上記記憶媒体に記憶されているデータをデータ受信装置に送信する際、上記判定手段において上記記憶媒体に記憶されているデータの編集が終了していると判定された場合には上記記憶媒体に記憶されているデータを上記データ受信装置に送信し、上記判定手段において上記記憶媒体に記憶されているデータの編集が終了していないと判定された場合には、上記記憶媒体内に記憶されているデータを上記データ受信装置に送信することを禁止する。
【０００７】
本発明の請求項３記載のデータ受信装置は、データ送信装置の記憶媒体に記憶されたデータを受信するデータ受信装置において、上記データ送信装置と通信を行い、上記データの編集状態を判定する判定手段と、上記判定手段の判定に基づいて上記データ送信装置に対して上記データの送信要求を行うデータ送信要求手段と、上記送信要求に基づいて送信された上記データを受信する受信手段とを具備する。
【０００８】
本発明の請求項４記載のデータ受信装置は、請求項３に記載のデータ受信装置において、上記データ送信要求手段は、上記判定手段により上記データの編集が終了していると判定された場合には上記データの送信要求を行い、上記判定手段により上記データの編集が終了していないと判定された場合には上記データの送信要求を行わない。
【０００９】
本発明の請求項５に記載のデータ受信ソフトウェアは、コンピュータに接続されたデータ送信装置の記憶媒体に記憶されたデータを上記コンピュータに受信させるデータ受信ソフトウェアにおいて、上記データ受信ソフトウェアは上記コンピュータに、上記データ送信装置の上記記憶媒体に記憶された上記データの編集状態を判定させ、上記判定に基づいて上記データ送信装置に対して上記データの送信要求を行わせ、上記送信要求に基づいて送信された上記データを受信させる。
【００１０】
本発明の請求項６記載のデータ送信装置は、記憶媒体に記憶されたデータをデータ受信装置に送信するデータ送信装置において、上記記憶媒体へのデータの記録を行う記録手段と、上記記録を行う際、第１の記録方法でデータ記録を行う第１の待機モードと、第２の記録方法でデータ記録を行う第２の待機モードを選択的に設定する待機モード設定手段と、上記待機モード設定手段で設定されている待機モードに基づいて、上記記憶媒体に記憶されているデータを上記データ受信装置に送信する送信手段とを具備する。
【００１１】
本発明の請求項７記載のデータ送信装置は、請求項６に記載のデータ送信装置において、上記第１の記録方法とは新規記録であり、上記第２の記録方法は追加記録、挿入記録または上書記録であり、  上記送信手段は、上記第１の待機モードが設定されている場合には上記記憶媒体に記憶されているデータを上記データ受信装置に送信し、上記第２の待機モードが設定されている場合には、上記記憶媒体に記憶されているデータを上記データ受信装置に送信することを禁止する。
【００１２】
本発明の請求項８記載のデータ受信装置は、データ送信装置の記憶媒体に記憶されたデータを受信するデータ受信装置において、上記データ送信装置の待機モードが、上記データ送信装置がデータ記録を行う際、第１の記録方法でデータを記録する第１の待機モードであるが、第２の記録方法でデータ記録する第２の待機モードであるかを判定する判定手段と、上記判定手段の判定に基づき上記データ送信装置に対して上記データ装置の記憶媒体に記憶されたデータの送信要求を行うデータ送信要求手段と、上記送信要求に基づいて送信された上記データを受信する受信手段とを具備する。
【００１３】
本発明の請求項９記載のデータ受信ソフトウェアは、コンピュータに接続されたデータ送信装置の記憶媒体に記憶されたデータを上記コンピュータに受信させるデータ受信ソフトウェアにおいて、上記データ受信ソフトウェアは上記コンピュータに、上記データ送信装置の待機モードが、上記データ送信装置がデータ記録を行う際、第１の記録方法でデータを記録する第１の待機モードであるか、第２の記録方法でデータ記録する第２の待機モードであるか判定させ、上記判定に基づいて上記データ送信装置に対して上記データの送信要求を行わせ、上記送信要求に基づいて送信された上記データを受信させる。
【発明の効果】
【００１４】
本発明によれば、データ受信装置と該データ受信装置にデータを送信するデータ送信装置とからなるシステムにて上記データを転送、または、受信する場合、編集中のデータファイルを転送、または、受信する等して不都合が生じないように制御することが可能なデータ受信装置、または、データ送信装置を提供することができる。
【発明を実施するための最良の形態】
【００１５】
以下、図を用いて本発明の実施形態について説明する。 
図１は、本発明の第一の実施形態であるデータ送信装置である音声記録再生装置のＩＣレコーダのブロック構成図である。図２は、上記ＩＣレコーダをデータ受信装置としてのコンピュータ装置であるパーソナルコンピュータ（以下、ＰＣと記載する）にＵＳＢ接続した状態を示す図である。
【００１６】
本実施形態のデータ送信装置であるＩＣレコーダ２０は、図２に示すようにデータ受信装置であるＰＣ３０と通信可能であり、上記ＰＣ３０に対して音声データの転送を行うシステムを構成するものである。
【００１７】
上記ＩＣレコーダ２０は、図１に示すように着脱自在の記録媒体（フラッシュメモリカード）にデータとしての音声データを記録（録音）し、また、再生することが可能な音声記録再生装置であって、記録された音声データの編集処理(ディクテーション処理)を行うことができる。また、図２に示すようにＩＣレコーダ２０は、ＰＣ３０に対してＵＳＢ接続による通信機能を有し、該ＰＣ３０との通信によってＩＣレコーダ２０からの編集済み音声データファイルの転送を行うディクテーションシステムを構成する。
【００１８】
ＰＣ３０側には上記ファイルを受信するためのデータ受信ソフトウエアが組み込まれており、該ソフトウエアのもとで後述するように上記ファイルが編集済みであるか、編集中の状態であるかどうかの判定、言い換えれば、第一の待機状態か、第二の待機状態かの判定をＩＣレコーダ２０に行わせ、さらに、後述する上記ファイルが編集済みである場合（第一の待機状態にある場合）に上記ファイルの転送要求を行わせ、かつ、後述するファイルデータの受信がなされる。その後、ＰＣ３０側では、転送された音声データファイルのデータに基づいて各種ワードプロセッサソフトウエアによる文字起こし作業が行われる。
【００１９】
なお、音声データファイルの編集とは、記録媒体に記録された音声データを再生，早送り，早戻し等で確認し、データの部分削除，上書き，追加等を行って、ＰＣ３０上での口述による文字起こしが可能な状態に編集する作業である。
【００２０】
上記ＩＣレコーダ２０は、図１に示すようにＩＣレコーダ全体の制御の制御を司るＣＰＵを有してなる制御手段としてのシステム制御部６と、記録、または、再生時の音声信号処理を行うデジタル信号処理部（ＤＳＰ）５と、内蔵マイクロホン（以下、マイクロホンは、マイクと記載する）１と、内蔵マイク１または外部リモコンマイクのいずれかを選択する切り替えスイッチ１６と、マイクの音声出力信号を増幅するマイクアンプ（ＡＭＰ）２と、入力側ローパスフィルタであるＬＰＦ３と、入力側Ａ／Ｄコンバータ４と、再生側Ｄ／Ａコンバータ１２と、再生側ローパスフィルタであるＬＰＦ１３と、再生音声信号を増幅するパワーアンプ（ＡＭＰ）１４と、スピーカ１５と、ＬＣＤ表示器１０と、ＬＣＤ表示器１０を駆動するためのＬＣＤ駆動回路９と、入力された音声データを記録するためのフラシュメモリカードからなる着脱自在の記録媒体８と、操作スイッチ群７と、データ受信装置のＰＣ３０との通信を行うための送信手段である外部通信回路（ＵＳＢ）１７と、該外部通信回路１７に接続されるＵＳＢ端子部１８（図２）等を有してなる。
【００２１】
内蔵マイク１は、音声を電気信号に変換する。マイクアンプ２は、内蔵マイク１、または、外部リモコンマイクからの電気信号を増幅する。
【００２２】
ＬＰＦ３、または、１３は、ノイズの発生を防止するために不要な周波数帯域をカットする。Ａ／Ｄコンバータ４、または、Ｄ／Ａコンバータ１２は、入力される音声信号（アナログ信号）をデジタル信号に、または、デジタル信号をアナログ信号にそれぞれ変換する。
【００２３】
デジタル信号処理部５は、システム制御部６に制御され、録音時にはＡ／Ｄコンバータ４でデジタル信号に変換された音声信号の符号化処理を行い、また、再生時には符号化された音声データの復号化処理を行って、該音声データをＤ／Ａコンバータ１２に出力する。
【００２４】
Ｄ／Ａコンバータ１２は、入力されるデジタル信号をアナログ信号に変換する。パワーアンプ１４は、音声信号を増幅し、スピーカ１５は、この音声信号を音声に変換して放音する。
【００２５】
システム制御部６にはデジタル信号処理部５の他に記録媒体８と、ＬＣＤ駆動回路９と、ＬＣＤ表示器１０と、操作スイッチ群７との制御信号線が接続され、切り替えスイッチ１６を切り変え制御するための切り替え信号線等が接続されている。そして、システム制御部６は、音声データを記録媒体８に記録するための記録制御手段（記録手段）と、記録媒体８に記録された音声データを再生するための再生制御手段と、ＵＢＳ接続されたＰＣ３０に対して記録媒体８の記録された音声データを転送するための転送制御手段と、上記音声データが編集済みであるどうか（編集状態）を判定する判定手段と、後述する第一の記録方法で記録が可能な第一の待機モードと後述する第二の記録方法で記録を行う第二の待機モードとを選択的に設定する待機モード設定手段等を内蔵している。
【００２６】
さらに、システム制御部６は、フラシュメモリからなる内部メモリ６ａを有しており、該内部メモリ６ａには、ＩＣレコーダ２０を制御するための各種制御情報が記憶され、さらに、記録媒体８に記録されているすべての音声データファイルが編集済みであるかどうかを示すファイル編集済み情報であって、ファイルの転送を許可するための転送許可フラグ（図３，４）として記憶される。
【００２７】
上記第一の記録方法とは、新規の音声データファイルに新規の音声データを記録する方法である。上記第二の記録方法とは、一旦ファイルに記録された音声データの編集を行う場合の記録方法であって、上記ファイルに追加記録，挿入記録，上書き記録等を行う。
【００２８】
記録媒体８には、音声データの他に例えば、ユーザーＩＤ、録音モードの選択設定、ＢＥＥＰ音の選択設定、音声起動録音の選択設定、データの再生位置等、システム制御部６に電源が供給されなくなっても記憶しておきたい各種設定、パラメータ等がシステム制御部６の制御のもとで記録される。なお、上記音声データには、非音声データ、例えば、画像データや数値データ等が混在することもある。
【００２９】
ＬＣＤ表示器１０は、システム制御部６を介して駆動制御されるＬＣＤ駆動回路９により操作スイッチ群７のいずれかのスイッチ操作により、所定のシーケンス動作を開始したときのレコーダの動作状態の情報を文字、または、記号を用いて表示し、また、記録を行っている間は、記録中であることの表示を行う。
【００３０】
操作スイッチ群７は、各種機能を制御するための操作スイッチ群であり、レコーダの外装部に設けられる各対応操作釦の操作によりオンオフされるスイッチ群であり、そのスイッチ群は、録音を開始させるための録音スイッチ（REC SW、以下、スイッチは、SWと記載する）７ａ，記録媒体８に記録された音声データを再生するための再生スイッチ（PLAY SW）７ｂ，記録、または、再生を停止させるための停止スイッチ（STOP SW）７ｃ，記録媒体８上の音声データファイル上の指定位置を変更したり、上記音声データファイルを選択するための早送りスイッチ（FF SW）７ｄおよび早戻しスイッチ（REW SW）７ｅ，メニュースイッチ（MENU SW）７ｆ，記録媒体８に記録されている全ての音声データファイルが編集済みであるとし、次の録音動作で新ファイルがクリエイトされることを指定するための待機モード設定手段を構成するニュースイッチ（NEW SW）７ｇからなる。
【００３１】
一方、ＰＣ３０は、当該コンピュータ装置の制御を司り、さらに、データ送信要求手段等を内蔵する制御部３０ａと、受信手段である外部通信回路部３０ｂと、該回路部に接続するＵＳＢ端子部１９等を有してなる。ＰＣ３０の制御部３０ａには、データ受信ソフトウエアがインストールされ、該ソフトウエアのもとでＩＣレコーダ２０に対して外部通信回路部３０ｂを介してデータ送信要求が出力され、データを受信することができる。
【００３２】
上述のＩＣレコーダ２０において、内蔵マイク１を介して取り込まれた音声データは、システム制御部６の制御のもとで装着されている記録媒体８に単一、または、複数の音声データファイルとして記録（録音）される。記録された音声データファイルは、システム制御部６の制御のもとで再生が可能である。上記音声データを口述記録する場合には、上記ファイル毎に編集がなされる（第二の記録方法による記録動作）。その編集作業では、ユーザーによりFF SW７ｄおよびREW SW７ｅを操作しながら編集するべきファイルとその記録位置が選択され、必要に応じてデータの追加、削除が行われる。すべてのファイルの編集が終了したとき、ユーザーは、NEW SW７ｇを操作して編集終了指示と、新ファイル作成の指示を行う（待機モード設定手段による）。この状態は、第一の記録方法による記録が可能な第一の待機モード状態であり、システム制御部６は、その編集終了・新ファイル作成指示信号に基づいて内部メモリ６ａに転送許可フラグがセットされる。但し、厳密には、その後、ＵＳＢ接続が確認されたときに転送許可フラグがセットされる。記録媒体８に録音後、NEW SW７ｇが未操作の状態では、転送許可フラグは、セットされない。すなわち、ファイルの転送禁止の状態である。この状態で第二の待機モードとなる。
【００３３】
上述したファイル編集終了状態、すなわち、第一の待機状態でＩＣレコーダ２０を図２に示すようにＵＳＢ端子部１８，１９を介してＰＣ３０の外部通信回路部（ＵＳＢ）３０ａに接続すると（または、クレードルを介して接続）、制御部３０ａのデータ送信要求手段により記録媒体８に記録されている全音声データファイルの送信要求が出される。ＩＣレコーダ２０側で編集済みの全音声データファイル転送が許可され、ＵＳＢを介してＰＣ３０の所定のメモリ部に転送される。
【００３４】
上記ファイルの編集が終了していない状態、すなわち、第二の待機状態であって、NEW SW７ｇが操作されない状態のままで上記ＵＳＢ接続がなされた場合には上記音声データファイルは転送されない（転送禁止動作）。
【００３５】
なお、ＩＣレコーダ２０をＰＣ３０にＵＳＢ接続した場合、転送許可フラグのセット，リセットに関わらず、ＩＣレコーダ２０の充電処理は自動的に実行される。
【００３６】
ＰＣ３０側の音声データファイルが転送された後、ＰＣ３０側の口述アプリケーションソフトを立ち上げ、上記音声データファイルを再生しながら口述内容の文字起こしが行われる。
【００３７】
次に、上述したＩＣレコーダ２０における制御処理動作のメインルーチン、および、メインルーチン等で呼び出されるサブルーチン「ＮＥＷモード」，「ＵＳＢモード」について図３〜５を用いて説明する。 
図３は、上記メインルーチンのフローチャートであり、図４は、上記メインルーチンで呼び出されるサブルーチン「ＮＥＷモード」のフローチャートであり、図５は、上記メインルーチン、または、サブルーチン「ＮＥＷモード」で呼び出されるサブルーチン「ＵＳＢ モード」のフローチャートである。
【００３８】
上記メインルーチンをはじめサブルーチン「ＮＥＷモード」および他のサブルーチンの処理は、ＩＣレコーダ２０のシステム制御部６の制御のもとで実行されるものとする。「ＵＳＢモード」の処理は、システム制御部６の制御およびＰＣ３０の制御部３０ａの制御のもとで実行されるものとする。
【００３９】
上記メインルーチンにおいては、図３に示すようにまず、ステップＳ０１においてＩＣレコーダ２０内の各制御要素の初期設定が行われる。ステップＳ０２にて転送許可フラグをクリアする。この転送許可フラグがクリアされた状態は、第二の待機モード状態にあることを示す。そして、ステップＳ０３にて操作スイッチ群７の状態の変化（オン）をチェックし、変化が検出された場合、ステップＳ０４以下、ステップＳ０９に進む。
【００４０】
詳しくは、操作スイッチ群７のうち、REC SW７ａがオンされた場合、ステップＳ１１にジャンプしてサブルーチン「ＲＥＣモード」が呼び出され、録音処理が実行される。PLAY SW７ｂがオンされた場合、ステップＳ１２にジャンプしてサブルーチン「ＰＬＡＹ  モード」が呼び出され、再生処理が実行される。FF SW７ｄがオンされた場合、ステップＳ１３にジャンプしてサブルーチン「ＦＦモード」が呼び出され、早送り処理が実行される。REW SW７ｅがオンされた場合、ステップＳ１４にジャンプしてサブルーチン「ＲＥＷモード」が呼び出され、早戻し処理が実行される。NEW SW７ｇがオンされた場合、編集終了をし、かつ、新ファイルに記録可能な状態になったと判断し、ステップＳ１５にジャンプして図４に示すサブルーチン「ＮＥＷモード」が呼び出され、後述するＮＥＷモード処理が実行される。MENU SW７ｆがオンされた場合、ステップＳ１６にジャンプしてサブルーチン「メニュー設定モード」が呼び出され、メニュー設定処理が実行される。
【００４１】
さらに、ステップＳ１０ではＰＣ３０とのＵＳＢ接続状態がチェックされ、接続状態であれば、ステップＳ１７にジャンプして図５に示すサブルーチン「ＵＳＢモード」が呼び出され、後述するＵＳＢモード処理が実行される。
【００４２】
上記各モード実行後は、ステップＳ０３に戻る。
【００４３】
上記ステップＳ１５にてサブルーチン「ＮＥＷモード」が呼び出された場合、編集終了に伴うＮＥＷモード処理が開始される。すなわち、ステップＳ２１にて操作スイッチ群７の状態変化をチェックして、状態変化があった場合、ステップＳ２２，２３に進む。状態変化がなかった場合、ステップＳ２５に進む。ステップＳ２２に進んでREC SW７ａのオンが検出された場合、ステップＳ２４に進み、前述したサブルーチン「ＲＥＣモード」呼び出される。この場合、一旦、NEW SW７ｇがオン操作されて、一旦編集を終了したが、編集終了をキャンセルして再度、録音が開始されることになる。さらに、ステップＳ２３にてFF SW７ｄ、または、REW SW７ｅのオンが検出された場合も編集終了をキャンセルしてメインルーチンに戻る。
【００４４】
ステップＳ２５に進んだ場合、ＰＣ３０とのＵＳＢ接続がなされているかがチェックされる。未接続状態であれば、ステップＳ２１に戻るが、ＵＳＢ接続が検出されれば、ステップＳ２６に進む。
【００４５】
ステップＳ２６において、編集終了に伴う転送許可フラグがセットされ、ステップＳ２７にて図５に示すサブルーチン「ＵＳＢモード」呼び出される。この転送許可フラグがセットされ、第一の待機モードに入る。
【００４６】
サブルーチン「ＵＳＢモード」においては、まず、ステップＳ３１において、ＰＣ３０側のアプリケーションからデータ転送の要求が発生しているかがチェックされる。転送要求がなければ、ステップＳ３４にジャンプするが、転送要求があれば、ステップＳ３２に進み、転送許可フラグの状態がチェックされる。転送許可フラグがセットされていなかった場合、システム制御部６にて編集が終了していないと判断して、ステップＳ３６に進み、ＰＣ３０側へのファイルの転送を禁止する。同時にＬＣＤ表示器１０にファイル編集中を示すメッセージを表示してステップＳ３４に進む。このように処理されるのは、メインルーチンのステップＳ１７で本サブルーチンが呼び出されたときの処理である。一方、転送許可フラグがセットされていた場合、ステップＳ３３に進み、システム制御部６の制御のもとで記録媒体８に記録されている編集済みの全音声データファイルがＰＣ３０へＵＳＢを介して転送される。
【００４７】
その後、ステップＳ３４にてＵＳＢ接続状態がチェックされ、接続終了状態でなければ、ステップＳ３１に戻るが、接続終了状態が検出されると、ステップＳ３５において本ＵＳＢモードを終了させる処理を行ってメインルーチンに戻る。メインルーチンに戻った後、再度ＵＳＢ接続がなされると、上記ステップＳ１７にてサブルーチン「ＵＳＢモード」が呼び出される。そこで、FF SW，REW SW等の操作スイッチ群が操作された場合、転送許可フラグがリセットされ、各該当するモード処理により編集が再開されることになる。
【００４８】
上述したように本実施形態におけるＰＣ３０と、該ＰＣ３０にＵＳＢ接続可能なＩＣレコーダ２０とによるディクテーションシステムによれば、記録媒体８に記録された音声データファイルが編集終了したことをユーザーによるNEW SW７ｇのオン操作によってシステム制御部６が認識し、その編集終了状態でのみファイルの転送がＵＳＢ接続に伴って実行される。NEW SW７ｇが操作されていない状態では、編集中であるとシステム制御部６が判断し、ファイルの転送がなされない。従って、不用意にＩＣレコーダ２０をＰＣ３０に接続させてしまったとき、編集中のファイルがＰＣ３０側に転送され、編集済みのデータがどれであるが判別できなくなったり、編集中のファイルに書き換えられてしまうことがなくなり、正確な文字起こしができなくなるといったことが防止される。また、編集中のファイルが転送されないことから時間の無駄も生じない。
【００４９】
次に、本発明の第二の実施形態のデータ受信装置としてのコンピュータ装置であるＰＣについて説明する。 
図６は、上記第二の実施形態のデータ受信装置であるＰＣとデータ送信装置であるＩＣレコーダとをＵＳＢ接続した状態を示す図である。
【００５０】
本実施形態のデータ受信装置であるコンピュータ装置のＰＣ３０Ａは、図６に示すようにデータ送信装置である音声記録再生装置のＩＣレコーダ２０ＡとＵＳＢ接続により通信可能であり、第一実施形態の場合と同様に上記ＩＣレコーダ２０Ａの音声データをＰＣ３０Ａへ転送するシステムを構成するものである。
【００５１】
本実施形態が上述した第一の実施形態と異なる点は、ＩＣレコーダ２０Ａに記録されている音声データファイルが上述した編集済みであるか、どうか、すなわち、通信接続状態にあるＩＣレコーダ２０Ａが上記第一の待機モードにあるか、上記第二の待機モードにあるかをＰＣ３０Ａ側で判定してその判定結果によって、ＰＣ３０Ａ側からＩＣレコーダ２０Ａに対して上記ファイルの転送要求をするか、あるいは、転送要求をしないように制御する点が異なる。
【００５２】
従って、ＩＣレコーダ２０Ａは、前記ＩＣレコーダ２０に対してシステム制御部６に内蔵される音声データが編集済みであるどうかを判定する判定手段が不要であり、他の構成は、同様とする。また、ＰＣ３０Ａは、第一の実施形態のＰＣ３０と同様に当該コンピュータ装置の制御を司り、また、編集状態判定手段，データ送信要求手段等を内蔵する制御部３０Ａａと、受信手段である外部通信回路部３０Ａｂと、該回路部に接続するＵＳＢ端子部１９とを有している。
【００５３】
ＩＣレコーダ２０Ａ側に記録されている音声データファイルが編集済みであるか編集中であるかの情報、言い換えれば、ＩＣレコーダ２０Ａが上述した第一の待機モードであるか第二の待機モードであるかの情報がＰＣ３０Ａ側に通信により取り込まれ、上記のいずれの状態であるかをＰＣ３０Ａ側の上記判定手段で判定する。上記ファイルが編集済みであると判定された場合、言い換えれば、第一の待機モードであれば、データ送信要求手段から送信要求が出され、上記ファイルのデータが外部通信回路部３０Ａｂを介してＰＣ３０Ａ側に転送される。第二の待機モードであると判断された場合、上記送信要求は出されない。なお、上述した一連の動作は、ＰＣ３０の制御部３０Ａａにロードされているデータ受信ソフトウエアのもとで実行される。
【００５４】
本実施形態では、前記第二の実施形態の場合と同様のファイル転送がなされ、本実施形態によっても同様の効果を奏する。
【００５５】
なお、上述した各実施形態では、ＩＣレコーダ２０の音声データファイルが転送されるデータ受信装置は、コンピュータ装置であるＰＣ３０，３０Ａとしたがこれにに限らず、ネットワーク上のサーバー装置等であってもよい。
【産業上の利用可能性】
【００５６】
本発明によるデータ送信装置、または、データ受信装置、または、ディクテーションシステムは、編集済みのファイルのみを転送可能とするデータ送信装置、または、データ受信装置、または、ディクテーションシステムに利用することができる。
【図面の簡単な説明】
【００５７】
【図１】本発明の第一の実施形態であるデータ送信装置のＩＣレコーダのブロック構成図である。
【図２】図１のＩＣレコーダをデータ受信装置であるＰＣにＵＳＢ接続した状態を示す接続状態図である。
【図３】図１のＩＣレコーダにおける制御処理のメインルーチンのフローチャートである。
【図４】図３のメインルーチンで呼び出されるサブルーチン「ＮＥＷ モード」のフローチャートである。
【図５】図３のメインルーチン、または、図４のサブルーチン「ＮＥＷ モード」で呼び出されるサブルーチン「ＵＳＢ モード」のフローチャートである。
【図６】本発明の第二の実施形態であるデータ受信装置であるＰＣをＩＣレコーダにＵＳＢ接続した状態を示す接続状態図である。
【符号の説明】
【００５８】
６  …システム制御部（記録手段，転送制御手段，
判定手段，待機モード設定手段）
７ｇ…NEW SW（待機モード設定手段）
１７  …外部通信回路（送信手段）
２０，２０Ａ
…ＩＣレコーダ（データ送信装置）
３０，３０Ａ
…ＰＣ（データ受信装置）
３０ａ，３０Ａａ
…制御部（受信手段，データ送信要求手段，
判定手段）
３０ｂ…外部通信回路（受信手段）
代理人      弁理士    伊  藤    進
【図１】
2005300995.tif 000003
【図２】
2005300995.tif 000004
【図３】
2005300995.tif 000005
【図４】
2005300995.tif 000006
【図５】
2005300995.tif 000007
【図６】
2005300995.tif 000008